(57)【要約】【課題】  従来、豪雪地域では人力による除雪が主流であったが、最近の少子高齢化に伴い危険を伴うこの作業の改善が求められている。このため、各種除雪装置が考案され改善されているが、積雪量や雪質・天候によって作業条件が大きく異なるため、人力による作業が引き続き必要となり高齢者や女性の作業には危険が伴う。【解決手段】  本発明によれば、除雪装置が屋根表面に設置され積雪底部の雪を徐々に庇から&#25620;落して排除する手段を用いているため、雪質や積雪量によって大きな影響を受けることなく自動的に除雪する事を実現した。また単位時間当たりに掻き出す雪が少量であるため、この装置を稼働させる電力を少なく出来、長時間にわたり昼間は勿論、夜間でもスイッチの投入一つで誰にでも安全かつ自動的に除雪する事を実現した。また、扇形に除雪できる形式も加えたため、2種類の形式を屋根の形に合せて使用可能であり各種形状での除雪を実現した。 【選択図】  図１
2019112832.tif 000002
【特許請求の範囲】
【請求項１】
屋根に降り積もった雪を積雪底部から掻き落とす装置。
【請求項２】
請求項１記載の装置は雪掻き板を取り付けたチェーン状のベルトを屋根表面に沿って回転しながら移動させ、2つの雪掻き板の間に捕捉された雪塊を庇からはみ出した端部のスプロケットで曲線運動する際、雪掻き板の付いていないエレメント部でその雪塊を押し出し、剥がれ落とす機能を有する装置。
【請求項３】
請求項２記載のチェーン状ベルトは上下2本のギア付きレールで屋根面に沿って平行に走行する方式と、上部機動輪の軸を固定し、下部の誘導輪を弓状のギア付きレールに沿って扇状に走行する方式がある。これら2種類の方式を屋根の形状に合わせ設置する事によって、所要の屋根表面を除雪させる装置。
【発明の詳細な説明】
【技術分野】
【０００１】
本発明は、豪雪地域等において屋根に降り積もった雪を自動的に除雪する装置に関するものである。
【背景技術】
【０００２】
例えば豪雪地域において屋根に降り積もった雪の除雪作業は従前から冬季積雪地方の重労働であり、かつ危険を伴うものであった。特に最近は少子高齢化の影響を受けてこの作業を必要とする地域においては若年作業者が非常に不足している事から老人にその作業を強いる事となり、作業中の事故死など悲惨な状況が多発している。この解消のため屋根の除雪活動を容易にする必要がある。
このような悲惨な状況を解決するため高齢者や女性・子供でも容易に操作可能な除雪装置の出現が求められている。
具体的には、下記のような各種の雪掻き装置等が提案されている。〔特許文献参照〕
【先行技術文献】
【特許文献】
【０００３】
【特許文献１】特許公開2007-046297
【特許文献２】特許公開2006-274689
【発明の概要】
【発明が解決しようとする課題】
【０００４】
しかしながら、上記特許文献に開示された技術のような方法はあくまでも人力等によって作業する必要があり、風雪の厳しい天候時の豪雪の排除には危険が伴う上、除雪可能な条件が限定される。
【０００５】
本発明はこのような問題を解決するためになされたもので、その目的とするところは、屋根に設置した除雪ベルトを屋根の面に沿って回転しながら積もった雪の底を左右に掃引して少量の雪を積雪底部から&#25620;落とし長時間かけて自動的に除雪する事にある。
【課題を解決するための手段】
【０００６】
上記した目的を達成するために、請求項１ではチェーン状の除雪ベルトに雪掻き板を取り付ける事を特徴としている。
【０００７】
請求項２では請求項１に示した除雪ベルトは屋根の面に沿って左右に往復移動するが、ベルトは進行方向に対して下向きに雪を掻き落とす動作をすることを特徴としている。
【０００８】
請求項３では除雪ベルトは屋根の棟と庇が平行な場合には平行移動形式にし、三角状の屋根の形状では上部を固定点軸として扇状に往復稼働する形式にすることを特徴としている。
【発明の効果】
【０００９】
上記手段を用いる本発明によれば、除雪ベルトによって屋根に降り積もった底の雪を掻き集め、庇からその雪を少しずつ落し、掻き取りによって生じた空隙が順次雪の自重により閉塞され、屋根表面を何度も往復する事により掃引範囲の除雪が可能である。
【００１０】
前記の装置によれば夜間や荒天等の悪条件であっても使用者が起動スイッチを投入さえすれば除雪に人的労働力を必要とせず自動的に作業させる事ができる。このため、老人や女性・子供でも危険を冒す事無く除雪する事が可能である。
【図面の簡単な説明】
【００１１】
【図１】本発明の装置の運用概念図である。
【図２】除雪ベルトの一例である。
【図３】除雪ベルトのエレメントを示したものである。
【図４】除雪ベルトが雪を取りこんだ後、放逐する機能の概念図である。
【図５】除雪ベルトを駆動するモータと駆動輪の関係の3面図である。
【図６】除雪ベルト全体の形状を示している
【図７】除雪ベルトの動作とギア付きレールの一例（模型）を示している。
【発明を実施するための形態】
【００１２】
以下、本発明の実施の形態を図面に基づき説明する。
図１を参照すると、積雪状態の屋根において屋根表面に近い積雪底面付近の雪を掻き落しながら除雪ベルトが横方向に進行する場面を概念的に図示している。
【００１３】
図２には除雪ベルトとその駆動輪の一部を鳥瞰図で示している。
本発明の除雪ベルトにはチェーン状のベルトに雪掻き板を装着してあり、この雪掻き板によって取りこまれた雪がベルトの動く方向に塊となって移動する。このベルトを移動させるのが図に示したベルト駆動輪（スプロケット）である。
【００１４】
図３にはチェーン状のベルトを構成する各エレメントについての一例を示す。
ベルトを構成するチェーンのエレメントには雪掻き板を装着したタイプと装着していないタイプの2種類があり、交互に連結される。
【００１５】
図４ではチェーン状のベルトの雪掻き板2枚の間に取りこまれた雪の塊が、端部において駆動輪（スプロケット）によって直線運動から回転運動に移行する際、雪掻き板を装着していないエレメントによって外側に押し出される事となり、塊が崩れてベルトから外れる状況の一例を図示している。
【００１６】
図５ではチェーン状のベルトを牽引する駆動輪（スプロケット）とモータの関係を示している。
この駆動輪の軸（下方）にはギアが設けられており、回転力がこのギアを介してギア付きレールに噛みあって除雪ベルト全体が雪を掻き取る方向に前進させる力を発生させる。
【００１７】
図６では雪掻きベルト全体の一例を示した。この図が示す様に駆動輪（スプロケット）によって駆動されるチェーン状のベルトは反対側の端に設けられた誘導輪（スプロケット）を回転させこの軸（下方）に設けられたギアによって上方に設けられた別のギア付きレールに噛みあって上下2本のギア付きレール上を等速での移動力を得る。次の図に示す扇状に稼働する除雪の場合には駆動輪の軸にはギアを必要とせず定点での旋回軸となり、下方に設けられた誘導輪のギアが弓型ギア付きレール上を移動する事によって扇形状の除雪領域を形成する。
【００１８】
図7では屋根の棟と庇が平行な部分で稼働する場合の形式１と、扇状に稼働する場合の形式２の概念図を示している。それぞれの雪掻きベルトがレール終端に到達すると設けられた反転スイッチが作動しモータが逆転して反対方向に移動する事によって反対側の積雪部分においても屋根の下方への除雪機能を往復で発揮する。
【符号の説明】
【００１９】
１  屋根の積雪状態
２  除雪ベルト全体の進行方向例
３  除雪ベルトが通過した庇部近傍の軌跡
４  除雪ベルトが積雪部分の庇から突き出した様子
５  除雪されて落下する雪の小片
６  除雪ベルトに取り付けられた除雪板
７  除雪ベルトのチェーンエレメントを繋ぐ軸
８  駆動輪（スプロケット）
９  チェーン状除雪ベルト      
10  除雪板付チェーンエレメント
11  通常（除雪板無）チェーンエレメント
12  除雪ベルトに取りこまれた雪塊
13  ベルトの曲線運動により雪塊の剥がれ開始場所
14  雪塊の剥がれによる脱落部分
15  スプロケットの回転方向
16  雪塊の脱落後の部分
17  除雪ベルトの進行方向
18  除雪ベルト全体の進行方向
19  動力源としての全体駆動用モータ
20  回転方向変換減速用傘歯車
21  除雪ベルト全体の前進後退用ギア
22  除雪ベルト全体図
23  上部駆動用スプロケット
24a  下部ギア付きレール  
24b  上部ギア付きレール
25  扇形領域除雪用駆動輪（スプロケット）
26  扇形領域除雪用下部駆動輪（スプロケット）
27  扇形領域除雪用弓状ギア付きレール
【図１】
2019112832.tif 000003
【図２】
2019112832.tif 000004
【図３】
2019112832.tif 000005
【図４】
2019112832.tif 000006
【図５】
2019112832.tif 000007
【図６】
2019112832.tif 000008
【図７】
2019112832.tif 000009